(57)【特許請求の範囲】
【請求項１】
データを無線伝送するための信号処理を行う第一の信号処理部と、
前記第一の信号処理部に接続され、無線通信を行うＲＦ送受信部と、
前記第一の信号処理部により用いられる無線伝送用の第一のクロックを生成するための第一の水晶発振子と、
デジタルオーディオデータストリームの信号処理を行う第二の信号処理部と、
前記第二の信号処理部により用いられる、前記第一のクロックとは非同期である、前記デジタルオーディオデータストリームのサンプリングクロックである第二のクロックを生成するための第二の水晶発振子と、
前記第一の信号処理部と前記第二の信号処理部との間に配設され、前記第一の信号処理部と前記第二の信号処理部との間で授受されるデータを一時的に保持するＦＩＦＯであるバッファメモリと、
前記バッファメモリのデータ量に基づいて、前記第二の信号処理部の動作クロックを制御し、前記第一の信号処理部と前記第二の信号処理部との間における非同期のデータ授受による時間のずれを吸収する監視部と
を具備する無線伝送装置。
【発明の詳細な説明】
【０００１】
【発明の属する技術分野】
本発明は、近距離無線データ伝送方式により、高品質のオーディオデータを無線伝送するための無線伝送装置に関する。
【０００２】
【従来の技術】
近距離無線データ伝送方式として、ブルートゥースという規格がある。現在のブルートゥースのフォーマットは、音声伝送方式としてＣＶＳＤ（Continuous Variable Slope Delta）という８ｋＨｚサンプリングの主に電話等のボイスレベルを対象としている。
【０００３】
【発明が解決しようとする課題】
ところで、上述したブルートゥースにおいて、例えば、ＣＤ（サンプリング周波数＝４４．１ｋＨｚ）レベルのハイファイ音質で音声を伝送しようとした場合、オーディオ信号処理を行なうためのクロックを生成するには、逓倍ＰＬＬなどを多用してオーディオプロファイル用のクロックを生成する必要がある。また、ブルートゥースベースバンドクロックを考慮して、オーディオプロファイル独自のインターフェース回路、信号処理回路などを構成しなければならない。このように、従来技術では、ブルートゥースで用いていたクロック生成用の水晶発振子で、オーディオ信号処理を行なうためのクロックを生成するには、回路構成が複雑になり、これにより消費電力が大きくなるという問題がある。
【０００４】
そこで本発明は、無線伝送用のベースバンドクロックに影響されることなく、また、消費電力を大きくすることなく、プロファイル独自の回路を容易に構成することができる無線伝送装置を提供することを目的とする。
【０００５】
上記課題を解決するために、本発明の無線伝送装置は、データを無線伝送するための信号処理を行う第一の信号処理部と、第一の信号処理部に接続され、無線通信を行うＲＦ送受信部と、第一の信号処理部により用いられる無線伝送用の第一のクロックを生成するための第一の水晶発振子と、デジタルオーディオデータストリームの信号処理を行う第二の信号処理部と、第二の信号処理部により用いられる、第一のクロックとは非同期である、デジタルオーディオデータストリームのサンプリングクロックである第二のクロックを生成するための第二の水晶発振子と、第一の信号処理部と第二の信号処理部との間に配設され、第一の信号処理部と第二の信号処理部との間で授受されるデータを一時的に保持するＦＩＦＯであるバッファメモリと、バッファメモリのデータ量に基づいて、第二の信号処理部の動作クロックを制御し、第一の信号処理部と第二の信号処理部との間における非同期のデータ授受による時間のずれを吸収する監視部とを具備する。
【０００８】
この発明では、データを無線伝送するための信号処理を行なう第１の信号処理手段により用いられる無線伝送用の第１のクロックを第１の水晶発振子により生成する。一方、プロファイルに規定されたアプリケーションに対する信号処理を行なう第２の信号処理手段により用いられ、前記第１のクロックとは非同期の第２のクロックを、第２の水晶発振子により生成する。したがって、ブルートゥースベースバンドクロックに影響されることなく、また、消費電力を大きくすることなく、プロファイル独自の回路を容易に構成することが可能となる。
【０００９】
【発明の実施の形態】
以下、本発明の実施の形態を、図面を参照して説明する。
Ａ．実施形態の構成
図１は、本発明の実施形態による、オーディオ信号を伝送するためのブルートゥース伝送装置の略構成を示すブロック図である。ＲＦ送受信部１は、後述するクロック生成部３からのクロックＣＬ１に従って、ブルートゥース規格による無線信号の送受信を行なう。ベースバンド制御部２は、後述するクロック生成部３からのクロックＣＬ１に従って、通信リンクの制御、周波数ホッピング管理、パケットの再送、誤り訂正などの各種信号処理を制御する。トランスポートレイヤの最下層は、ベースバンドパケットと呼ばれ、ヘッダには、ＣＲＣが付加されている。その上層には、Ｌ２ＣＡＰパケットで、該Ｌ２ＣＡＰパケットの上にオーディオトランスポート用のＲＴＰパケットが乗る。ＲＴＰ上に各コーデックのトランスポートフレームが乗り、該トランスポートフレームのヘッダにもＣＲＣが付加されている。オーディオコーデックのトランスポートフレームは、上記ＲＴＰ上に乗る。
【００１０】
クロック生成部３は、水晶発振子４を用いて、ブルートゥース伝送に必要とされるクロックＣＬ１を生成し、ＲＦ送受信部１、ベースバンド制御部２に供給する。ベースバンド制御部では、１０〜２０ＭＨｚで１ＭＨｚ刻みの周波数を必要とするので、水晶発振子４は、基本の１ＭＨｚ（＝Ｂｔクロック）生成を目的として、２６ＭＨｚ／１３ＭＨｚを源発振周波数とする。ＣＰＵ５は、ブルートゥース機器の図示しない各部や上記ベースバンド制御部２などを制御する。
【００１１】
クロック生成部６は、水晶発振子７を用いて、オーディオ信号の処理に必要とされるクロックＣＬ２を生成し、コーデックＤＳＰ＆オーディオＩＦ８に供給する。オーディオ信号を扱う場合、デジタル化するのに規定のサンプリング周波数Ｆｓが必要となる。高音質のオーディオ信号を取り扱うオーディオプロファイルの場合には、サンプリング周波数Ｆｓとして、４８ｋＨｚ、４４．１ｋＨｚ、３２ｋＨｚなどが必要となる。実際には、ＡＤＣ、ＤＡＣやＩＥＣ９５８などのオーディオＩＦなどのために、水晶発振子７は、サンプリング周波数Ｆｓ（４８ｋＨｚ／４４．１ｋＨｚ）の５１２倍の源発信周波数（２４．５７６ＭＨｚ／２２．５７９２ＭＨｚ）とする。
【００１２】
コーデックＤＳＰ＆オーディオＩＦ８は、上記クロック生成部６からのクロックＣＬ２を用いて、オーディオデータの伸長／圧縮、および図示しないオーディオ信号処理部（再生／記録処理部など）との間における符号化（Ａ／Ｄ変換）、復号化（Ｄ／Ａ変換）などのオーディオ信号の入出力処理を行なう。コーデックＤＳＰ＆オーディオＩＦ８において圧縮オーディオをデコードするには、オーディオコーデックのトランスポートフレームを読み込んで圧縮方式を認識し、オーディオコーデックのデコードを行なうことになる。オーディオコーデックとしては、ＳＢＣ、ＡＴＲＡＣ３、ＭＰ３等、複数の方式での伝送がフォーマット上可能となっている。
【００１３】
バッファメモリ９は、クロックＣＬ１で動作するブルートゥース（ベースバンド制御部２）側とクロックＣＬ２で動作するオーディオ（コーデックＤＳＰ＆オーディオＩＦ８）側との間に配設され、送受信されるデータを一時的に保持するＦＩＦＯとして動作する。監視部１０は、バッファメモリ９に保持されるデータ量に従って、コーデックＤＳＰ＆オーディオＩＦ８の動作クロックを制御し、非同期のデータ授受による時間のずれを吸収する。
【００１４】
Ｂ．実施形態の動作
次に、上述した実施形態の動作について説明する。
ＲＦ送受信部１は、２６ＭＨｚ／１３ＭＨｚの源発振周波数を有する水晶発振子４によるクロックＣＬ１に従って、ブルートゥース規格による無線信号の送受信を行なう。ベースバンド制御部２は、水晶発振子４によるクロックＣＬ１に従って、通信リンクの制御、周波数ホッピング管理、パケットの再送、誤り訂正などの各種信号処理を制御する。
【００１５】
一方、コーデックＤＳＰ＆オーディオＩＦ８は、サンプリング周波数Ｆｓ（４８ｋＨｚ／４４．１ｋＨｚ）の５１２倍の源発信周波数（２４．５７６ＭＨｚ／２２．５７９２ＭＨｚ）を有する水晶発振子７によるクロックＣＬ２を用いて、オーディオデータの伸長／圧縮、およびオーディオ信号の符号化、復号化などを行なう。
【００１６】
監視部１０は、バッファメモリ９に保持されるデータ量に従って、コーデックＤＳＰ＆オーディオＩＦ８の動作クロックを制御し、非同期のデータ授受による時間のずれを吸収する。
【００１７】
上述した実施形態によれば、オーディオプロファイルを扱う場合、異なった源発振周波数の複数の水晶発振子を実装可能なブルートゥース伝送装置とすることで、ブルートゥースベースバンドクロックに影響されることなく、オーディオプロファイル独自のインターフェース回路、信号処理回路などを構成することができる。また、逓倍ＰＬＬなどを多用してオーディオプロファイル用のクロックを生成する必要がないので省エネルギ（節電）につながる。
【００１８】
本発明によれば、無線伝送用のベースバンドクロックに影響されることなく、また、消費電力を大きくすることなく、プロファイル独自の回路を容易に構成することができるという利点が得られる。
【図面の簡単な説明】
【図１】本発明の実施形態による、オーディオ信号を伝送するためのブルートゥース伝送装置の略構成を示すブロック図である。
【符号の説明】
１……ＲＦ送受信部（第１の信号処理手段）、２……ベースバンド制御部（第１の信号処理手段）、３……クロック生成部、４……水晶発振子（第１の水晶発振子）、５……ＣＰＵ、６……クロック生成部、７……水晶発振子（第２の水晶発振子）、８……コーデックＤＳＰ＆オーディオＩＦ（第２の信号処理手段）、９……バッファメモリ（バッファ手段）、１０……監視部（監視手段）
【図１】
0004852800.tif 000002